(57)【要約】  動物滞在スペースのパーティションを形成するための小区画構造は、動物滞在スペースの長手方向に延在するパーティション部材と、パーティション部材を支柱に締付け固定するための連結機構とを備えている。連結機構には、連結機構を支柱に固定するための支持部と、パーティション部材を連結機構に固定するためのパーティション部材接続部とが設けられている。パーティション部材は、回転軸周りに回転することにより高さ方向に動かすことができるように構成されている。連結機構には、パーティション部材接続部を回転軸に対して垂直に移動させることによって、パーティション部材接続部を支持部から取り外し可能とするための、クロージング部が設けられている。
2009516509.tif 000002
【特許請求の範囲】
【請求項１】
（ａ）動物滞在スペースの長手方向に延在しているパーティション部材と、
（ｂ）前記パーティション部材を支柱に固定するための連結機構と、
（ｃ）前記連結機構を該支柱と固定するために該連結機構に設けられた支持部と、
（ｄ）前記連結機構を前記パーティション部材と固定するために該連結機構に設けられたパーティション部材接続部と、
を備えた動物滞在スペースを形成するための小区画構造において、
（イ）前記パーティション部材が、その回転軸周りに回転して高さ方向に動かすことができるように構成され、そして、
（ロ）前記連結機構には、前記パーティション部材接続部を前記回転軸に対して垂直な方向に移動させて該パーティション部材接続部を前記支持部から取り外すことができるようにするためのクロージング部が設けられている
ことを特徴とする動物滞在スペースを形成するための小区画構造。
【請求項２】
前記パーティション部材接続部が、前記パーティション部材の高さ方向の動きを制限するためのストップを有していることを特徴とする請求項１記載の動物滞在スペースを形成するための小区画構造。
【請求項３】
前記クロージング部が、前記回転軸に対して垂直な該クロージング部の軸の周りに動かすことができるように設けられていることを特徴とする請求項１または２記載の動物滞在スペースを形成するための小区画構造。
【請求項４】
前記ストップが、前記クロージング部に設けられていることを特徴とする請求項１ないし３のいずれか１項に記載の動物滞在スペースを形成するための小区画構造。
【請求項５】
前記連結機構が、前記クロージング部の前記ストップと連動するように構成された可撓な緩衝部を有していることを特徴とする請求項４記載の動物滞在スペースを形成するための小区画構造。
【請求項６】
前記支持部が、前記可撓な緩衝部を少なくとも部分的に囲んで、該可撓な緩衝部を固定するように構成されていることを特徴とする請求項５記載の動物滞在スペースを形成するための小区画構造。
【請求項７】
前記支持部が、該支持部を支柱の上に固定するためのブラケットを有しており、そして、前記ブラケットが前記回転軸を構成していることを特徴とする請求項１ないし６のいずれか１項に記載の動物滞在スペースを形成するための小区画構造。
【請求項８】
前記パーティション部材接続部には、回転スペースが前記回転軸を囲むように設けられており、そして、前記回転スペースの下側に開口が設けられていることを特徴とする請求項１ないし７のいずれか１項に記載の動物滞在スペースを形成するための小区画構造。
【請求項９】
前記パーティション部材接続部が、鍛造または鋳造された単一の金属部品として構成されていることを特徴とする請求項１ないし８のいずれか１項に記載の動物滞在スペースを形成するための小区画構造。
【請求項１０】
前記支持部が、前記回転軸を支持するための二つの立設部を有していることを特徴とする請求項１ないし９のいずれか１項に記載の動物滞在スペースを形成するための小区画構造。
【請求項１１】
前記クロージング部には、前記クロージング部の軸を囲むようにスロテッドホールが設けられているクロージング部ことを特徴とする請求項１ないし１０のいずれか１項に記載の動物滞在スペースを形成するための小区画構造。
【請求項１２】
前記クロージング部が、該クロージング部の軸周りの回転が阻止されまたは制限されるような位置に達するまで、該クロージング部の軸に沿って可動となるように構成されていることを特徴とする請求項１１記載の動物滞在スペースを形成するための小区画構造。
【請求項１３】
請求項１ないし１２のいずれか１項に記載の動物滞在スペースを形成するための小区画構造において使用されるように構成された、パーティション部材を支柱に固定するための連結機構。
【発明の詳細な説明】
【技術分野】
【０００１】
本発明は、本発明の請求項１に示した小区画構造に関する。
【背景技術】
【０００２】
公知の小区画構造（ｃｕｂｉｃｌｅ  ｃｏｎｓｔｒｕｃｔｉｏｎ）は欧州特許出願第０４４７８２２−Ａ２等において開示されているところであるが、この公知の装置には、小区画の長手方向に延在するパーティション部材が設けられている。パーティション部材は、垂直な支柱の周りを水平面において回転させることができ、また、水平軸の周りを高さ方向に移動させることもできる構造であるので、横たわっている動物が起き上がったときに怪我をしたりしないようになっている。
【０００３】
酪農家や獣医によって実際に動物に対して施される処置は、小区画の中で規則的に行われる必要があるので、パーティション部材を取り外し可能に設けるのが実用的である。もっとも、公知の装置の場合、複数の部材を取り外さないとパーティション部材を取り外すことができない。
【発明の開示】
【発明が解決しようとする課題】
【０００４】
本発明の目的は、簡単な方法で分解することができる小区画構造を提供することにある。
【課題を解決するための手段】
【０００５】
上記目的は、請求項１の特徴部分によって達成される。一つの部材だけで、つまり、クロージング部（ｃｌｏｓｉｎｇ  ｅｌｅｍｅｎｔ）によって、連結機構のロックを解除することができる。パーティション部材にはパーティション部材接続部が接続されており、一人の作業者による単純な動作だけでパーティション部材を支柱から着脱することができる。
【０００６】
パーティション部材接続部は、好適には、パーティション部材の高さ方向の動きを制限するためのストップを備えている。これにより、動物がパーティション部材の下に体を位置させるとパーティション部材の高さ方向における動きに制限が加えられるので、動物にパーティション部材の下に入りたがらせないような仕組みになっている。
【０００７】
好ましい実施の形態においては、クロージング部は、回転軸に対して垂直な軸を中心にして動かすことができるように構成されている。これは、クロージング部が小区画構造に接続されつつ、そのロック位置およびロック解除位置とさせることができることを意味している。
【０００８】
なお、コンパクトな構成とするため、クロージング部にはストップが設けられている。
【０００９】
連結機構にはストップと連動するように構成された可撓な緩衝部材（ｂｕｍｐｅｒ  ｅｌｅｍｅｎｔ）を設けておくことが有利である。さらに、支持部（ｓｕｐｐｏｒｔ  ｐｏｒｔｉｏｎ）が可撓な緩衝部を少なくとも部分的に囲み、固定するように構成されていればなお有利である。可撓な緩衝部は、経時的劣化にともない交換が必要となるものの、最小限の部品のみを用いて固定することができる。支持部には、好ましくは、支持部を支柱の上に固定するブラケットが設けられており、回転軸を構成しているのはこのブラケットである。このようにして、最低限の部品のみを用いたコンパクトな構造にすることができる。
【００１０】
好適な実施の形態においては、パーティション部材接続部には、回転軸を包囲する回転スペースであって、その下側に開口が設けられている回転スペースを備えている。これにより、パーティション部材接続部は、単純な動きだけで、支持部から持ち上げられることができる。
【００１１】
さらに有利な実施の形態においては、パーティション部材接続部は、鍛造または鋳造された単一の金属部品として設計されているので、生産工程を簡素化することが可能である。
【００１２】
支持部は、好ましくは、回転軸を保持するための二つの立設部（ｕｐｒｉｇｈｔ  ｐｏｒｔｉｏｎ）を有している。これによって、シンプルかつ真っ直ぐなボルトとして回転軸を設計することができる。シンプルかつ真っ直ぐなボルトは、二つの立設部によって保持されている。
【００１３】
さらに固有の実施の形態においては、クロージング部には、クロージング部の軸を囲繞しているスロテッドホール（ｓｌｏｔｔｅｄ  ｈｏｌｅ）が設けられている。別の固有な実施の形態においては、クロージング部は、クロージング部の軸に沿って、クロージング部の軸周りの回転が妨げられるか制限されるような位置に達するまで移動させることができる。このようにして、クロージング部は、特定の位置に容易にロックさせることができる。本発明は、さらに、小区画構造にとって好適な連結機構に関するものである。
【発明を実施するための最良の形態】
【００１４】
本発明の小区画構造の実施の形態の一例を、図面を参照しながら以下に説明する。
【００１５】
図１は、動物滞在スペースのパーティションを形成するための本発明の小区画構造（ｃｕｂｉｃｌｅ  ｃｏｎｓｔｒｕｃｔｉｏｎ）１を示した図である。小区画構造１は、動物の進入方向にあたる動物滞在スペースの長手方向に延在しているパーティション部材２、３と、動物滞在スペースの長手方向と直交して設けられた支柱（ｓｕｐｐｏｒｔ）５にパーティション部材２、３を固定するための連結機構（ｃｏｕｐｌｉｎｇ）４とを備えている。連結機構４は、連結機構４を支柱５に固定するための支持部（ｓｕｐｐｏｒｔ  ｐｏｒｔｉｏｎ）６と、連結機構４をパーティション部材２、３と固定するためのパーティション部材接続部７とを有している。パーティション部材２、３は、パーティション部材２、３の回転軸周りに回転させることにより高さ方向に動かすことができる。さらに、連結機構４は、パーティション部材接続部７を前述回転軸に対して垂直方向に動かしてパーティション部材接続部７を支持部６から取り外すことができるようにするためのクロージング部を有している。パーティション部材接続部７は、パーティション部材２、３の高さ方向の動きを制限するためのストップを有している。なお、動物滞在スペース（ａｎｉｍａｌ  ｐｌａｃｅ）は、二つのパーティション部材２、３に挟まれた位置に形成される。パーティション部材２、３については、オランダ国特許第１，５７９，７６０号において詳細に述べられている。
【００１６】
図２は、図１の小区画構造１の側面図であり、横たわってくつろいでいる動物が描かれている。動物の後ろ側には、グリッド床（ｇｒｉｄ  ｆｌｏｏｒ）として設計された歩行通路９が位置している。パーティション部材２、３は動物滞在スペースの長手方向に歩行通路９の反対側に設けられた支柱５に固定されており、支柱５は、動物滞在スペースの長手方向と直交しかつ水平方向に延在している箱型梁（ｂｏｘ  ｇｉｒｄｅｒ）であって、複数のパーティション部材２、３を支持するように構成されている。さらに、箱型梁としての支柱５は、直立した二つのポスト１０、１１によって支持されている。パーティション部材２、３は、静止位置すなわち、パーティション部材２、３が水平に向けられた状態でかつ支柱ストップ部１２（図３）に載った位置で示されている。動物滞在スペースには、さらに、マットレス１３および、小区画の長手方向に動物が通過することを制限するためのひざ遮断部１４が備えられている。
【００１７】
図３は、連結機構４をより詳細に示した図である。同図によると、クロージング部８は、回転軸に対して垂直な軸１５の周りに配置されている。クロージング部の軸１５は、シンプルな設計のボルトとして構成されている。クロージング部８にはまた、ストップが設けられている。連結機構４はさらに、ストップと連動するように構成された可撓な緩衝部（ｂｕｍｐｅｒ  ｅｌｅｍｅｎｔ）１６を有している。支持部６は、可撓な緩衝部１６を少なくとも部分的に囲んだ状態で可撓な緩衝部１６を固定するように構成されている。パーティション部材接続部７は、パーティション部材接続部７の上側に設けられた二つのフック１７と図示しないボルトを介して、パーティション部材２の端部と固定させることができる。支持部６は、支持部６を支柱５の上に固定するためのブラケット１８を有しており、このブラケット１８が回転軸を構成している。パーティション部材接続部７は、回転軸を囲む回転スペース１９を有しており、回転スペース１９の下側には開口が形成されている。図示したごとく、パーティション部材接続部７は、鍛造または鋳造された単一の金属部品として設計されている。
【００１８】
示されていない実施の形態においては、パーティション部材接続部７は、ボルトによって共締めされた二つの金属部品から構成されている。この実施の形態においては、クロージング部の軸１５は、凹部に固定された小棒によって構成されている。
【００１９】
小区画構造１の構成部分として実装されたた場合における、パーティション部材およびそれと接続されたパーティション部材接続部７は、クロージング部８が可撓な緩衝部１６に押し付けられるまで、回転軸周りに垂直方向に回転させることができる。この構成により、横たわっていた動物がふと起き上がりたくなったときに、その横たわった位置から、パーティション部材の過度な妨げを受けることなく起き上がることができる。
【００２０】
パーティション部材２、３を支柱５との連結から解除するには、以下の手順に従う。まず、クロージング部８をクロージング部の軸１５の周りに回転させ、連結機構４のロックを解除する。パーティション部材２、３の二つの連結機構４がロック解除された後、パーティション部材２、３を、その回転軸に対して垂直に、歩行通路９の方向に、回転軸をなすブラケット１８の部分が回転スペース１９の開口を過ぎるまで移動させる。以上の手順によって、パーティション部材接続部７を含むパーティション部材２、３の全体が、支持部６から単純な態様で持ち上げられることができる。
【００２１】
図４は、別の実施の形態におけるクロージング部８を示した図である。この実施の形態においては、クロージング部の軸１５を囲むように構成されたスロテッドホール２０が設けられている。クロージング部８は、クロージング部の軸１５に沿って、クロージング部の軸１５の周りの回転が妨げられるか制限されるような位置に至るまで動かすことができる。この動作を許容するために、一方の側に凹部が形成されている。クロージング部８は、そのロック位置において下向きに位置しており、クロージング部の軸１５は、破線で示した断面によって示された位置にある。連結機構４をロック解除するときに、クロージング部８を９０度回転させて、移動させ、しかる後、クロージング部の軸１５は図４の実線で示した断面によって示された位置に位置付けされる。この位置において、クロージング部８のフラットになった上側面が、パーティション部材接続部７に対するストップとして機能し、その結果、クロージング部８がクロージング部の軸１５の周りに回転することがもはや可能ではなくなる。
【図面の簡単な説明】
【００２２】
【図１】パーティション部材で囲まれた動物滞在スペースを構成する本発明の小区画構造の略平面図である。
【図２】一頭の動物がその中で横たわっている状態の図１における小区画構造の側面図である。
【図３】本発明の連結機構の概略斜視図である。
【図４】固有の実施の形態におけるクロージング部の正面図である。
【図１】
2009516509.tif 000003
【図２】
2009516509.tif 000004
【図３】
2009516509.tif 000005
【図４】
2009516509.tif 000006
【国際調査報告】
2009516509.tif 000007
2009516509.tif 000008